(57)【要約】【課題】広告用吊幕の巻揚、巻下しする取付部材具として吊幕の安定性と張力性を保持するための有効な構造部材。【解決手段】幟、旗等の長方形吊幕の上部に吸盤等のパーツを着脱容易とした支軸と下部巻軸間に吊幕を着装し、下部巻軸は軸端に着脱容易の駒を挿脱可能に取付け、かつ巻軸内に吊幕の下垂力を安定保持する金属等の錘材を内装し、及び吊幕の縫着孔に取付けた下部巻軸に嵌脱可能の弾性挟持具を嵌着し、上下支軸間の吊幕の片寄りやしわ寄せを防止する。吊幕は上下軸間に取付けた操作用紐体を操作して上下動自在に巻揚巻下しする。【選択図】　　　　　　図１
2004059257.tif 000002
【特許請求の範囲】
【請求項１】
一定巾長寸の布体等よりなる広告用吊幕と、その吊幕を取着する上部支軸及び下部巻軸と、前記両軸間に張設した吊幕を上下に巻揚もしくは巻下しする操作用紐体とよりなる主として広告用吊幕の取付部材具であって、上部支軸は、支軸の両端に吊幕の巻揚、巻下しする操作用紐体の繰出部と広告用吊幕を壁面に着脱する吸着盤を備え、下部巻軸は、吊幕の安定下垂力を保持する一定重さの強質軸体と、巻軸両端に操作用紐体の繰出用駒を巻軸内に嵌挿した駒軸を挿脱可能に設けた巻軸とよりなることを特徴とする広告用吊幕の取付部材具。
【請求項２】
請求項１記載の下部巻軸は、巻軸に吊幕の下垂張設力を保持する錘体を嵌入し、吊幕の下端縁を縫着した挿着孔に巻軸を挿着し、かつ巻軸に取付けた吊幕の偏位しわ寄せを抑止する割溝付弾性保持体を着脱可能に嵌着すると共に、巻軸端部に操作用紐体の繰出用駒を着脱可能に冠着したことを特徴とする広告用吊幕の取付部材具。
【請求項３】
請求項１、請求項２記載の下部巻軸端部に装着した操作用紐体の繰出用駒は、駒体と駒支軸とよりなり、駒支軸は駒体を巻軸内に係止状に嵌挿すると共に、駒支軸の端部に２枚のつばを間接して駒軸に回動状に密嵌し、かつ駒体上部に設けた操作用紐体の長孔より前記駒支軸のつば間に巻装し、下部巻軸の上下回動に従回動するように設け、操作用紐体の操作により下部巻軸に取着した吊幕の巻揚巻下しをするように構成したことを特徴とする広告用吊幕の取付部材具。
【請求項４】
前記広告用吊幕の取付位置に近接した壁面等に前記広告用吊幕の操作用紐体の収納ケースを着脱可能に構成して設置するように設けたことを特徴とする広告用吊幕の操作用紐体収納ケース。
【発明の詳細な説明】
【０００１】
【発明の属する技術分野】
本発明は主として各種商品の各取引分野における販売その他の営業活動に必要な広告媒体として利用する幟、旗等により掲出表示する吊幕の取付用部材具に関する。
【０００２】
【従来の技術】
幟、旗等に表示した布体等を一定の幅で長寸の長方形に形成した素材に各種商品、物産、商店名等の広告を掲出して各種の宣伝手段とする営業手段が現在市街に掲示具、竿、支柱、等により支持し掲出されているが、その多くは幟、旗等の布体等の一端を支柱に取付け幅約５０ｃｍ、長さ約２ｍ前後の広告媒体に掲出、表示するのが一般的な手段となっている。
また、前記表示用幟等を巻揚げ巻下しする掲出手段も行われている。
【０００３】
【本発明が解決しようとする課題】
本発明は上記の幟、旗等の長寸の布体、紙等による広告用垂幕を操作用紐体による巻揚げ巻下しする垂幕の取付用部材具を新規開発したものであるが、従来の取付部材具は長寸法の垂幕を上下に設けた回転巻軸に取付け、操作用紐、綱を介して上下に巻揚げ巻下しする操作手段によるものであるが、巻軸による垂幕の上下操作の際引綱が途中で引掛かったり布体垂幕を巻込んだ回転巻軸が斜めに上下動する難点があり、垂幕の掲揚表示又は巻取りを妨げる広告用掲出具としての有効性、有用性に欠けていた。
本発明は上記課題を解決することを目的としたものである。
【０００４】
【課題を解決するための手段】
上記の目的を達成する手段としては、広告用布体の上下に取付けた上部支軸と下部巻軸及び広告用吊幕を巻揚、巻下しする操作用紐体とよりなる取付部材を請求項１とする取付部材具の構成により請求項２〜請求項４に記載したそれぞれの取付具を上部支軸及び下部巻軸に着脱自在かつ一定下垂力に構成した吊幕の安定張力と吊幕を水平状に保持した状態で操作用紐体で上下軸間により巻回巻戻しする取付部材及び紐体の収納ケースを備えた広告用吊幕の取付部材具を要旨とするものである。
【０００５】
【発明の実施の形態】
図面に基づき以下本発明の実施例について図示説明する。
本発明は幟、旗等の布体、紙、有害性の無い合成樹脂材料を素材として、主として広告用の垂幕を使用媒体として、方法は時間によるタイムサービス、特売等の限定曜日サービス、月間、又、シーズン毎と一定時期等に亘って対応できる広告の吊幕及びその取付具に係るもので媒体として臨機応変に取付取替のできる有用かつ有効な広告取付用部材に構成したものである。
【０００６】
図１は、本発明の広告取付具の全体を示す概念図で、１０は上述した商品、特売サービスその他の宣伝用図柄、キャッチフレーズ等を印刷した布体、有害性の無い合成樹脂材、紙材等で横巾約４０ｃｍ〜５０ｃｍ、縦長約１６０ｃｍ〜２００ｃｍに構成し、実施例吊幕（広告内容は省略）で、吊幕の上下端部を挿通孔を縫着した挿通部１１−１２を設け、上部挿通部１１に上部支軸１３、下部挿通部１２に下部巻軸１４を着脱可能に装着する。１５，１５は芯軸１３´を軸着した上部支軸１３に固定した取付部材及び、その下部の操作用紐体の繰出部であり、挿脱可能に嵌着した（図５参照）。１６，１６は紐体の回転軸である。１８，１８は支軸端部に装着した壁面等に着脱可能に取着する吸着盤である。吸着盤１８は、上部支軸１３の端部及び繰出部１５に着脱自在に外嵌する取付部材１５´と一体のパーツとして吊幕の取替を容易にする。１９，１９は下部巻軸端部に挿着した駒軸を挿着して冠着したフリーの駒体で、２１は垂幕１０を上下に巻揚、巻下しする２本に分別して上下に操作する無端縁の操作用紐体である。２０は下部巻軸１４を挿着した吊幕のしわ寄せ、ずれ動きを防止する嵌脱可能の割溝付弾性挟持具である。
【０００７】
図２は操作用紐体２１の取付及び操作要領を示し、上部支軸の取付部に連設した繰出部１５に軸支した回転軸１６，１６間に操作用紐体２１の始端１７，１７を結着し、その始端よりそれぞれ延設した紐体は図３に示すように下部巻軸１４に駒支軸２２を嵌挿係止した駒１９により紐体が離脱しないでカバーされるように取着し、２１の紐体は無端状に連結している。（図１参照）巻軸を巻揚もしくは中途に止着する場合、図面の上部左端に設けた繰出部１５内に設置した掛止片２８の爪２９に紐体及び紐体に巻回した吊幕の下部巻軸１４を上部支軸の下部に紐体の操作により掛止又は掛外し自在に支持する取付部材具として取付ける。（図４参照）
【０００８】
次に図１，図２に示す吊幕下端の下部巻軸両端に装着する駒体１９について図３により詳説する。
図３は本発明の重要な作用を果す下部巻軸の一部破断による要部の構成を示すもので、下部巻軸１４の両端に駒１９，１９を装着する。駒１９は、筒状の下部巻軸１４内に駒支軸２２を挿脱可能に嵌着し、駒支軸２２は巻軸の長さ方向に縦溝２３を設け、駒支軸を巻軸内に駒支軸の縦溝２３を嵌合するように差し込めば駒支軸２２は係止突部２４により巻軸内に係止し巻軸に従動して一体に回転する。
【０００９】
また下部巻軸に冠装した駒１９は操作用紐体２１を挿通する長孔２６を設けた駒１９と駒内に嵌挿する駒支軸２２とよりなるが、駒支軸２２はその基部に２枚のつば２５を間設し、かつつば２５は駒に回動状に密嵌すると共に駒１９が駒支軸２２より抜け落ちないように両端につばの動きを係止する閉塞部１９´を設ける。駒端部の閉塞は蓋で開閉状に設け駒体と駒支軸を分離して取外すように取付け部材の交換と調整が容易に組立てられるようにしてもよい。
【００１０】
下部巻軸は請求項１に記述したように吊幕の取付部材具として吊幕の取付時の安定性と吊幕の下垂力を担保する実施構成として巻軸を一定重量の強質軸体とするため筒状の巻軸１４内に錘体を封入（図示省略）し、もしくは筒体を形成する一部を棒状に構成して、吊幕の吊下重力により風圧等の振巾揺動作用を軽減した安定吊幕に形成する。
【００１１】
下部巻軸１４は請求項１に記述した割溝を設けた弾性挟持具２０，２０を下部巻軸を挿着した吊幕１０の下端縁に嵌脱可能に取付け風圧その他の外圧によって吊幕の揺動、ずれ動きによる偏位、しわ寄せを防止するために随時着脱して吊幕の安定性を昴めることとする。
【００１２】
なお、操作用紐体は広告用吊幕の巻揚時に下部に垂れ下がるための外観及び取扱い上の処理手段として広告用吊幕を取付した壁面に近接して紐体の垂下部分を収納するケース２７を広告用部材具の部品として設置し吊幕の使用時に応じて取付ける。
【００１３】
【発明の効果】
本発明は上述に構成した主として広告用媒体となる吊幕を有効に掲示する一定の下垂力を備えた張力と安定性のある吊幕及びその部材具として提供するもので、風圧等の外力、外圧に対し一定の耐用性、使用性と共に吊幕に表示した広告内容の表示及び宣伝効果を保持する機能と効用を備えた広告具として、その効用は顕著である。
又、操作機能においても紐体による巻揚、巻下し操作の際の吊幕の片寄りとずれ動きを解消する下垂張力と下部巻軸に着脱する挟持具により紐体の操作時に巻軸の上下作用が水平に上動又は下降する作用を備えており、従来の紐体操作の難点が解消されている。
かつ、下部巻軸端部に冠装した駒体も部材具の着脱交換が容易で吊幕のタイムサービス、曜日サービス等に簡単かつ有効に利用できる有効使用の構成部材具としたので機能性もすぐれた広告具として使用できる利点が大きい。
【図面の簡単な説明】
【図１】本発明吊幕を吊下開示した全体図。
【図２】本発明紐体の組込み及び操作時の作用を示す全体図。
【図３】下部巻軸に取着した駒の取付構成を示す要部の一部破断斜視図。
【図４】操作用紐体の操作による巻軸の巻揚を示す、広告用吊幕の作用を示す実施概要図。
【図５】上部支軸端部に取付けた繰出部及び吸着盤の取付作用を示す要部斜視図。
【符号の説明】
１０　広告用吊幕
１３　上部支軸
１４　下部巻軸
１５　取付部材
１８　吸着盤
１９　駒
２０　弾性挟持具
２１　操作用紐体
２２　駒支軸
２５　つば
２６　長孔
２７　紐体の収納ケース
【図１】
2004059257.tif 000003
【図２】
2004059257.tif 000004
【図３】
2004059257.tif 000005
【図４】
2004059257.tif 000006
【図５】
2004059257.tif 000007